【手続補正書】
【提出日】平成28年5月11日(2016.5.11)
【手続補正１】
【補正対象書類名】明細書
【補正対象項目名】０００６
【補正方法】変更
【補正の内容】
【０００６】
上記目的を達成するために、請求項１の電子機器は、動作モードを通常状態と省電力状態とで切り替える省電力機能を有する電子機器であって、前記電子機器の消費電力量を計測する計測手段と、前記計測手段で計測された消費電力量をもとに前記電子機器の消費電力量を管理する管理手段とを備え、前記計測手段は、前記動作モードが省電力状態であると判定した場合、計測した消費電力量を、前記管理手段に送信することなく管理することを特徴とする。
また、上記目的を達成するために、請求項９の電子機器は、前記電子機器の消費電力量を計測し、前記計測された消費電力量を示す情報を提供する、電力が供給されている計測手段と、前記計測された消費電力量を示す情報を受信し、前記受信した情報を用いて処理を実行する、電力が供給されている処理手段と、前記計測手段への電力の供給および前記処理手段への電力の供給を個別に制御する制御手段とを備え、前記計測手段は、前記制御手段が前記計測手段に電力を供給し続けて且つ前記処理手段への電力の供給を停止する第１の事象に従って、前記電子機器の消費電力量を計測し、前記計測された消費電力量を示す情報を前記処理手段に提供することなく、前記計測された消費電力量を示す情報を不揮発メモリに保存し、前記計測手段および前記処理手段の両方に電力が供給されないようにするために前記計測手段への電力の供給を停止するように前記制御手段に制御させ、前記計測手段は、前記制御手段が前記計測手段および前記処理手段の両方への電力の供給を再開する第２の事象に従って、前記不揮発メモリに保存された前記情報を電力が供給されている前記処理手段に提供することを特徴とする。
【手続補正２】
【補正対象書類名】特許請求の範囲
【補正対象項目名】全文
【補正方法】変更
【補正の内容】
【特許請求の範囲】
【請求項１】
動作モードを少なくとも通常状態と省電力状態とで切り替える省電力機能を有する電子機器であって、
前記電子機器の電力を計測する計測手段と、
前記計測手段で計測された電力をもとに前記電子機器の電力を管理する管理手段とを備え、
前記計測手段は、前記動作モードが通常状態から省電力状態に切り替えられる第１の事象に基づいて、電力を計測し、前記計測した電力を前記管理手段に送信することなく不揮発性メモリに保存し、電力の計測が行われないように前記計測手段への電力の供給を停止し、
前記計測手段は、前記第１の事象に基づいて省電力状態になっていた前記動作モードが前記通常状態に切り替えられる第２の事象に基づいて、前記不揮発性メモリに保存された計測した電力を前記管理手段に送信することを特徴とする電子機器。
【請求項２】
前記計測手段は、定期的に計測された電力を積算して保存することを特徴とする請求項１記載の電子機器。
【請求項３】
前記管理手段によって管理される電力を表示する表示手段をさらに有することを特徴とする請求項１または２記載の電子機器。
【請求項４】
前記計測手段は、
複数回計測した電力の値から電力の平均値を算出する算出手段と、
前記算出された電力の平均値と計測した今回の電力の値との差を、所定の値と比較する比較手段と、
前記算出された電力の平均値と計測した今回の電力の値との差が前記所定の値以下である場合、前記算出された電力の平均値を保存し、当該計測手段への電力の供給を停止する制御手段とを有することを特徴とする請求項１乃至３のいずれか１項に記載の電子機器。
【請求項５】
前記第１の事象に基づいて、前記計測手段は、電力を複数回計測し、前記複数回計測した電力の平均値を算出し、前記算出された電力の平均値を、前記計測した電力として前記不揮発性メモリに保存し、
前記第２の事象に基づいて、前記計測手段は、前記計測した電力として前記不揮発性メモリに保存された電力の平均値を前記管理手段に送信し、前記管理手段は、前記動作モードが省電力状態である際に消費される電力量の推定値を算出するために、前記送信された電力の平均値を用いることを特徴とする請求項１乃至４のいずれか１項に記載の電子機器。
【請求項６】
前記電力は、電圧値、電流値、または消費電力量のいずれかであることを特徴とする請求項１乃至５のいずれか１項に記載の電子機器。
【請求項７】
動作モードを少なくとも通常状態と省電力状態とで切り替える省電力機能を有する電子機器の制御方法であって、
計測手段が、前記電子機器の電力を計測する計測工程と、
管理手段が、前記計測工程で計測された電力をもとに前記電子機器の電力を管理する管理工程とを備え、
前記計測工程では、前記動作モードが通常状態から省電力状態に切り替えられる第１の事象に基づいて、電力を計測し、前記計測した電力を前記管理手段に送信することなく不揮発性メモリに保存し、電力の計測が行われないように前記計測手段への電力の供給を停止し、
前記計測工程では、前記第１の事象に基づいて省電力状態になっていた前記動作モードが前記通常状態に切り替えられる第２の事象に基づいて、前記不揮発性メモリに保存された計測した電力を前記管理手段に送信することを特徴とする電子機器の制御方法。
【請求項８】
請求項７記載の制御方法を電子機器に実行させるためのコンピュータに読み取り可能なプログラム。
【請求項９】
電子機器であって、
前記電子機器の消費電力量を計測し、前記計測された消費電力量を示す情報を提供する、電力が供給されている計測手段と、
前記計測された消費電力量を示す情報を受信し、前記受信した情報を用いて処理を実行する、電力が供給されている処理手段と、
前記計測手段への電力の供給および前記処理手段への電力の供給を個別に制御する制御手段とを備え、
前記計測手段は、前記制御手段が前記計測手段に電力を供給し続けて且つ前記処理手段への電力の供給を停止する第１の事象に従って、前記電子機器の消費電力量を計測し、前記計測された消費電力量を示す情報を前記処理手段に提供することなく、前記計測された消費電力量を示す情報を不揮発メモリに保存し、前記計測手段および前記処理手段の両方に電力が供給されないようにするために前記計測手段への電力の供給を停止するように前記制御手段に制御させ、
前記計測手段は、前記制御手段が前記計測手段および前記処理手段の両方への電力の供給を再開する第２の事象に従って、前記不揮発メモリに保存された前記情報を電力が供給されている前記処理手段に提供することを特徴とする電子機器。
【請求項１０】
前記計測手段に電力が供給されていない場合、前記計測手段は、前記消費電力量の計測も前記情報の提供も行わず、
前記処理手段に電力が供給されていない場合、前記処理手段は、前記情報の受信も前記受信した情報を用いた処理の実行も行わないことを特徴とする請求項９記載の電子機器。
【請求項１１】
前記処理手段は、前記第１の事象の前は、前記電子機器の消費電力量の値を前記電子機器の消費電力量を示す情報として前記計測手段から受信して記憶装置に保存し、
前記処理手段は、前記第２の事象に従って、前記第１の事象から前記第２の事象までの経過時間を示す情報を取得し、前記提供された前記不揮発メモリに保存された前記情報を受信し、前記取得された情報および前記受信された情報を用いて、前記経過時間内の前記電子機器の消費電力量の推定値を算出し、その算出された推定値を前記記憶装置に保存することを特徴とする請求項９または１０記載の電子機器。
【請求項１２】
前記計測手段は、前記第１の事象に従って、前記電子機器の消費電力量を複数回計測し、前記複数回計測された消費電力量の平均を示す情報を、前記計測された消費電力量を示す情報として前記不揮発メモリに保存し、
前記計測手段は、前記第２の事象に従って、前記不揮発メモリに保存された前記平均を示す情報を、前記計測された消費電力量を示す情報として前記処理手段に提供することを特徴とする請求項９乃至１１のいずれか１項に記載の電子機器。
【請求項１３】
電子機器の制御方法であって、
電力が供給されている計測手段が、前記電子機器の消費電力量を計測し、前記計測された消費電力量を示す情報を提供する計測工程と、
電力が供給されている処理手段が、前記計測された消費電力量を示す情報を受信し、前記受信した情報を用いて処理を実行する処理工程と、
制御手段が、前記計測手段への電力の供給および前記処理手段への電力の供給を個別に制御する制御工程とを備え、
前記計測工程では、前記制御手段が前記計測手段に電力を供給し続けて且つ前記処理手段への電力の供給を停止する第１の事象に従って、前記電子機器の消費電力量を計測し、前記計測された消費電力量を示す情報を前記処理手段に提供することなく、前記計測された消費電力量を示す情報を不揮発メモリに保存し、前記計測手段および前記処理手段の両方に電力が供給されないようにするために前記計測手段への電力の供給を停止するように前記制御手段に制御させ、
前記計測工程では、前記制御手段が前記計測手段および前記処理手段の両方への電力の供給を再開する第２の事象に従って、前記不揮発メモリに保存された前記情報を電力が供給されている前記処理手段に提供することを特徴とする電子機器。
【請求項１４】
請求項１３記載の制御方法を電子機器に実行させるためのコンピュータに読み取り可能なプログラム。